(57)【要約】【課題】常に、複数の光ネットワークにおける冗長光パスの正常性を確認できる光クロスコネクト装置を得ること。【解決手段】正常時では、ＲｉｎｇＡのＷｅｓｔからの光信号が１：３カプラ２０１ａ、３×１ＷＳＳ２０２ｃの経路でＲｉｎｇＢのＥａｓｔに送出され、ＲｉｎｇＡのＥａｓｔからの光信号が１：３カプラ２０１ｂ、３×１ＷＳＳ２０２ｄの経路でＲｉｎｇＢのＷｅｓｔに送出されている。ＲｉｎｇＡのＷｅｓｔで障害が発生すると、１：３カプラ２０１ａからの入力が途絶える３×１波長選択スイッチ２０２ｃの選択対象を１：３カプラ２０１ｂの出力に切り替える。ＲｉｎｇＡのＥａｓｔとＲｉｎｇＢのＥａｓｔとによる両Ｒｉｎｇを跨る現用系光パスが再構成され、正常に光信号の伝送が行えるとともに、ＲｉｎｇＢでは、予備系光パスであるＷｅｓｔの正常性監視も並行して行うことができる。【選択図】        図２
2008167306.tif 000002
【特許請求の範囲】
【請求項１】
少なくとも２つの光伝送路を有する光ネットワークの複数個を接続し、接続する前記光ネットワークの複数個を含んで送端側と受端側との間に介在する複数の光ネットワークを跨った２系統の光パスをそれぞれ接続する光クロスコネクト装置において、
１つの前記光伝送路から入力する波長多重光信号をｎ分配（ｎは２以上の自然数）する２以上のｎ分岐カプラと、
前記ｎ分岐カプラと同数個設けられ、前記２以上のｎ分岐カプラが分配する２以上の波長多重光信号から任意波長の波長多重光信号を選択して対応する光伝送路に送出するｎ×１波長選択スイッチとを備え、
前記一方の光パスに障害が発生した場合に、障害が発生した光伝送路に対応する前記ｎ×１波長選択スイッチの選択対象を前記他方の光パスの光伝送路から波長多重光信号を受け取る前記ｎ分岐カプラの出力に切り替える
ことを特徴とする光クロスコネクト装置。
【請求項２】
少なくとも２つの光伝送路を有する光ネットワークの複数個を接続し、接続する前記光ネットワークの複数個を含んで送端側と受端側との間に介在する複数の光ネットワークを跨った２系統の光パスをそれぞれ接続する光クロスコネクト装置において、
１つの前記光伝送路から入力する波長多重光信号を任意波長の１以上の光信号を組み合わせたｍ組（ｍは２以上の自然数）に編成し、ｍ個の出力ポートの対応する出力ポートから送出する２以上の１×ｍ波長選択スイッチと、
前記２以上の１×ｍ波長選択スイッチそれぞれのｍ−１個の出力ポートのそれぞれに対して設けられ、対応する出力ポートから出力される波長多重光信号を２分配する２以上の２分岐カプラと、
前記２以上の１×ｍ波長選択スイッチと同数個設けられ、対応する１×ｍ波長選択スイッチの残り１つの出力ポートからの波長多重光信号と前記２以上の２分岐カプラからの２以上の波長多重光信号との中の任意波長の波長多重光信号を選択して対応する光伝送路に送出するｎ（ｎは２以上の自然数）×１波長選択スイッチとを備え、
前記一方の光パスに障害が発生した場合に、障害が発生した光伝送路に対応する前記ｎ×１波長選択スイッチの選択対象を前記他方の光パスの光伝送路から波長多重光信号を受け取る前記１×ｍ波長選択スイッチの出力または前記ｎ分岐カプラの出力に切り替える
ことを特徴とする光クロスコネクト装置。
【請求項３】
接続する光ネットワークが、２つの光伝送路を有する光ネットワークの２個である場合に、前記２以上のｎ分岐カプラは、４個の３分岐カプラであり、前記２以上のｎ×１波長選択スイッチは、４個の３×１波長選択スイッチであることを特徴とする請求項１に記載の光クロスコネクト装置。
【請求項４】
接続する光ネットワークが、２つの光伝送路を有する光ネットワークの２個である場合に、前記２以上の１×ｍ波長選択スイッチは、４個の１×２波長選択スイッチであり、前記２以上の２分岐カプラは、４個の２分岐カプラであり、前記２以上のｎ×１波長選択スイッチは、４個の３×１波長選択スイッチであることを特徴とする請求項２に記載の光クロスコネクト装置。
【請求項５】
接続する光ネットワークが、２つの光伝送路を有する光ネットワークの３個である場合に、または、３つの光伝送路を有する光ネットワークの２個である場合に、前記２以上のｎ分岐カプラは、６個の３分岐カプラであり、前記２以上のｎ×１波長選択スイッチは、６個の３×１波長選択スイッチであることを特徴とする請求項１に記載の光クロスコネクト装置。
【請求項６】
接続する光ネットワークが、２つの光伝送路を有する光ネットワークの３個である場合に、または、３つの光伝送路を有する光ネットワークの２個である場合に、前記２以上の１×ｍ波長選択スイッチは、６個の１×２波長選択スイッチであり、前記２以上の２分岐カプラは、１２個の２分岐カプラであり、前記２以上のｎ×１波長選択スイッチは、６個の３×１波長選択スイッチであることを特徴とする請求項２に記載の光クロスコネクト装置。
【発明の詳細な説明】
【技術分野】
【０００１】
この発明は、複数の光ネットワークの１以上の接続点に配置され、送端側と受端側との間に介在する複数の光ネットワークを跨った２系統の光パスをそれぞれ接続する光クロスコネクト装置に関するものである。
【背景技術】
【０００２】
複数の光ネットワークで構成される広域の光ネットワークで用いる光クロスコネクト装置として、ここでは、この発明の理解を容易にするため光リングネットワークが複数接続されたマルチリングネットワークにおける光クロスコネクト装置を例に挙げて説明する。マルチリングネットワークで用いる光クロスコネクト装置としては、例えば特許文献１に開示されたものが知られている。以下、図１４〜図１７を参照してその概要を説明する。なお、図１４は、従来の光クロスコネクト装置を備えるマルチリングネットワークの構成例および正常時の制御動作を説明するシステム図である。図１５は、図１４に示す従来の光クロスコネクト装置の構成例を示す図である。図１６および図１７は、障害発生時の復旧動作を説明する図である。
【０００３】
図１４では、光リングネットワークＡ（ＲｉｎｇＡ）と光リングネットワークＢ（ＲｉｎｇＢ）の２つを光クロスコネクト装置（ＯＸＣ：Optical cross Connect）２ｆで接続したマルチリングネットワークが示されている。ＲｉｎｇＡとＲｉｎｇＢとは、共に西回り（Ｗｅｓｔ）光伝送路３０１，３０４と東回り（Ｅａｓｔ）光伝送路３０２，３０３とで構成され、光クロスコネクト装置２ｆもＲｉｎｇＡ，Ｂにおける２つの光伝送路に対応するポートＷ，Ｅを備えている。
【０００４】
ＲｉｎｇＡ上には、２つの光伝送路に波長多重光信号を波長単位で分岐挿入する多数の光分岐挿入装置１ａ，１ｂ，１ｃが配置され、ＲｉｎｇＢ上にも同様に多数の光分岐挿入装置１ｄ，１ｅ，１ｆが配置されている。図９では、ＲｉｎｇＡ上の光分岐挿入装置１ａが送信端となり、ＲｉｎｇＢ上の光分岐挿入装置１ｆが受信端となる場合を示している。つまり、各光分岐挿入装置は、同様の構成であり、送信系は光分岐挿入装置１ａに示すように構成され、受信系は光分岐挿入装置１ｆに示すように構成される。
【０００５】
光分岐挿入装置１ａは、分岐器（ＤＩＳ：Distributor）１０１と、トランスポンダ（送受信器）１０２ａ，１０２ｂと、ＯＡＤＭ（Optical Add Drop Multiplexer）１０３ａ，１０３ｂと備えている。分岐器１０１は、外部から入力される光信号を２分岐してトランスポンダ１０２ａ，１０２ｂに与える。トランスポンダ１０２ａは、西回り光伝送路３０１用の送信信号（波長多重光信号）を生成する。トランスポンダ１０２ｂは、東回り光伝送路３０２用の送信信号（波長多重光信号）を生成する。ＯＡＤＭ１０３ａは、トランスポンダ１０２ａからの送信信号をＲｉｎｇＡの西回り光伝送路３０１に挿入等を行う。ＯＡＤＭ１０３ｂは、トランスポンダ１０２ｂからの送信信号をＲｉｎｇＡの東回り光伝送路３０２に挿入等を行う。
【０００６】
また、光分岐挿入装置１ｆは、ＯＡＤＭ１０３ｃ，１０３ｄと、トランスポンダ１０２ｃ，１０２ｄと、選択器（Selector：ＳＥＬ）１０４とを備えている。ＯＡＤＭ１０３ｃは、ＲｉｎｇＢの西回り光伝送路３０４から光信号（波長多重光信号）を取り込み、トランスポンダ１０２ｄに与える。ＯＡＤＭ１０３ｄは、ＲｉｎｇＢの東回り光伝送路３０３から光信号（波長多重光信号）を取り込み、トランスポンダ１０２ｄに与える。トランスポンダ１０２ｃ，１０２ｄは、それぞれ、受信処理を行って選択器１０４に与える。選択器１０４は、一方の受信光信号を選択して外部に出力する。
【０００７】
光クロスコネクト装置２ｆが備える光スイッチ部は、図１５に示すように、ＲｉｎｇＡの西回り（Ｗｅｓｔ）光伝送路および東回り（Ｅａｓｔ）光伝送路と、ＲｉｎｇＢの西回り（Ｗｅｓｔ）光伝送路および東回り（Ｅａｓｔ）光伝送路との間の接続を切り替え等する構成として、ＲｉｎｇＡ及びＲｉｎｇＢでは、西回り（Ｗｅｓｔ）光伝送路と東回り（Ｅａｓｔ）光伝送路との入出力の関係が互いに逆の関係になっているが、各光伝送路と１対１の関係で、入力側に４つの１×３波長選択スイッチ（Wavelength Selective Switch：ＷＳＳ）２０８ａ，２０８ｂ，２０８ｃ，２０８ｄが設けられ、出力側に４つの３×１波長選択スイッチ（３×１ＷＳＳ）２０２ａ，２０２ｂ，２０２ｃ，２０２ｄが設けられている。
【０００８】
１×３波長選択スイッチ２０８（ａ，ｂ，ｃ，ｄ）は、それぞれ、１つの入力ポートからの波長多重光信号を任意波長の１以上の光信号を組み合わせた３組に編成し、３つの出力ポートの対応する出力ポートに送出する。３×１波長選択スイッチ２０２（ａ，ｂ，ｃ，ｄ）は、それぞれ、３つの入力ポートからの波長多重光信号の１つのを選択して１つの出力ポートに送出する。なお、３×１波長選択スイッチの構成については、特許文献２に詳述されているので、ここでは説明を割愛する。
【０００９】
例えば、ＲｉｎｇＡの西回り（Ｗｅｓｔ）光伝送路に接続される１×３波長選択スイッチ２０８ａの３つの出力ポートは、同じＲｉｎｇＡの東回り（Ｅａｓｔ）光伝送路に接続される３×１波長選択スイッチ２０２ａの３つの入力ポートのうちの１つと、異なるＲｉｎｇＢの東回り（Ｅａｓｔ）光伝送路に接続される３×１波長選択スイッチ２０２ｃの３つの入力ポートのうちの１つと、異なるＲｉｎｇＢの西回り（Ｗｅｓｔ）光伝送路に接続される３×１波長選択スイッチ２０２ｄの３つの入力ポートのうちの１つとに接続されている。他の１×３波長選択スイッチ２０８（ｂ，ｃ，ｄ）についても同様である。このように、光クロスコネクト装置２ｆでは、あるＲｉｎｇの光パスを、同じＲｉｎｇの逆周り光伝送路に接続することも、他のＲｉｎｇが備える２つの光伝送路のいずれかに接続することも行うことができる。
【００１０】
これによって、光クロスコネクト装置２ｆは、正常時では、図１４に示すように、ＲｉｎｇＡ上に存する送端側（光分岐挿入装置１ａ）とＲｉｎｇＢ上に存する受端側（光分岐挿入装置１ｆ）との間に両Ｒｉｎｇを跨る現用系光パス（実線）と予備系光パス（破線）とを形成し、障害発生時には、図１６や図１７に示すように、障害路を回避する経路切替を行って現用系光パスを救済する措置を採る。以下具体的に説明する。
【００１１】
図１４では、正常時において、ＲｉｎｇＡ上の光分岐挿入装置１ａのトランスポンダ１０２ａが送信する波長多重光信号は、実線で示すように、ＯＡＤＭ１０３ａから西回り光伝送路３０１に送出され、光クロスコネクト装置２ｆにてＲｉｎｇＢの東回り光伝送路３０３に送出され、それをＲｉｎｇＢ上の光分岐挿入装置１ｆのＯＡＤＭ１０３ｄが取り込みトランスポンダ１０２ｄに引き渡す。
【００１２】
また、ＲｉｎｇＡ上の光分岐挿入装置１ａのトランスポンダ１０２ｂが送信する波長多重光信号は、破線で示すように、ＯＡＤＭ１０３ｂから東回り光パス３０２に送出され、光クロスコネクト装置２ｆにてＲｉｎｇＢの西回り光パス３０４に送出され、それをＲｉｎｇＢ上の光分岐挿入装置１ｆのＯＡＤＭ１０３ｃが取り込み、トランスポンダ１０２ｃに引き渡す。
【００１３】
図１４では、このように、送端側であるＲｉｎｇＡ上の光分岐挿入装置１ａと受端側であるＲｉｎｇＢ上の光分岐挿入装置１ｆとの間に、光伝送路３０１，３０３で構成される現用系光パスと、光伝送路３０２，３０４で構成される予備系光パスとを形成し、それぞれの光パスを用いて波長多重光信号を伝送している状態が示されている。光クロスコネクト装置２ｆでは、図１５において、図示しない制御部が、１×３波長選択スイッチ２０８ａの３×１波長選択スイッチ２０２ｃ側出力ポートにＲｉｎｇＡの西回り光伝送路３０１に送出された送端側の波長多重光信号を出力させ、１×３波長選択スイッチ２０８ｂの３×１波長選択スイッチ２０２ｄ側出力ポートにＲｉｎｇＡの東回り光伝送路３０２に送出された送端側の波長多重光信号を出力させている。また、図示しない制御部は、３×１波長選択スイッチ２０２ｃに１×３波長選択スイッチ２０８ａの出力を選択させ、３×１波長選択スイッチ２０２ｄが１×３波長選択スイッチ２０８ｂの出力を選択させている。
【００１４】
この場合に、図１６に示すように、ＲｉｎｇＡの西回り光伝送路３０１に伝送障害が発生すると、光クロスコネクト装置２ｆは、図示しない光信号異常検出器が現用系光パスの異常を検知すると、図示しない制御部が、１×３波長選択スイッチ２０８ｂの出力ポートを３×１波長選択スイッチ２０２ｄ側から３×１波長選択スイッチ２０２ｃ側に切り替えるとともに、３×１波長選択スイッチ２０２ｄの選択動作を停止し、３×１波長選択スイッチ２０２ｃの選択対象を１×３波長選択スイッチ２０８ｂの出力に切り替えることで、ＲｉｎｇＢの西回り光伝送路３０４に接続されていたＲｉｎｇＡの東回り光伝送路３０２をＲｉｎｇＢの東回り光伝送路３０３に接続するように切り替える。これによって、ＲｉｎｇＡの東回り光伝送路３０２とＲｉｎｇＢの東回り光伝送路３０３とによる現用系光パスが再構成され、両Ｒｉｎｇを跨って正常に光信号を伝送することができる。
【００１５】
次に、図１７に示すように、更に、ＲｉｎｇＢの東回り光伝送路３０３にも伝送障害が発生すると、光クロスコネクト装置２ｆは、図示しない制御部が１×３波長選択スイッチ２０８ｂの出力ポートを、今度は、３×１波長選択スイッチ２０２ｃ側から３×１波長選択スイッチ２０２ｄ側に切り替えるとともに、３×１波長選択スイッチ２０２ｃの選択動作を停止し、３×１波長選択スイッチ２０２ｄに１×３波長選択スイッチ２０８ｂの出力を再度選択させることで、ＲｉｎｇＢの東回り光伝送路３０３に接続されていたＲｉｎｇＡの東回り光伝送路３０２をＲｉｎｇＢの東回り光伝送路３０４に接続するように切り替える。これによって、ＲｉｎｇＡの東回り光伝送路３０２とＲｉｎｇＢの東回り光伝送路３０４とによる現用系光パスが再構成され、両Ｒｉｎｇを跨って正常に光信号を伝送することができる。以上のように、ＲｉｎｇＡとＲｉｎｇＢの双方に伝送障害が発生しても、ＲｉｎｇＡの送信端からＲｉｎｇＢの受信端まで正常に光信号を伝送することができる。
【００１６】
【特許文献１】特開２００６−１９１２１２号公報
【特許文献２】特表２００３−５１５１８７号公報
【発明の開示】
【発明が解決しようとする課題】
【００１７】
しかしながら、上記従来の光クロスコネクト装置では、光パスの故障時には単に光パスの接続先を切り替えるだけであるので、それまで正常性を確認できていた光伝送路では光信号が接続されなくなり、正常性が確認できなくなるという問題がある。
【００１８】
例えば、図１６の例で言えば、ＲｉｎｇＡの西回り光伝送路３０１に故障が発生した場合、ＲｉｎｇＢの西回り光伝送路３０４にはＲｉｎｇＡからの光信号が接続されなくなるので、予備系光伝送路の正常性を確認することができなくなる。その結果、例えば、ＲｉｎｇＢにおいて、東回り光伝送路３０３が故障する前に西回り光伝送路３０４が故障しても検知することができないので、東回り光伝送路３０３に故障が発生し、西回り光伝送路３０４に切り替えても、ＲｉｎｇＢでは、現用系光パスを救済できないことが起こる。このように、従来の光クロスコネクト装置による光パスの接続方法では、冗長光パスの信頼性が劣化するという問題がある。
【００１９】
この発明は、上記に鑑みてなされたものであり、常に、複数の光ネットワークにおける冗長光パスの正常性を確認できる光クロスコネクト装置を得ることを目的とする。
【課題を解決するための手段】
【００２０】
上述した目的を達成するために、この発明は、少なくとも２つの光伝送路を有する光ネットワークの複数個を接続し、接続する前記光ネットワークの複数個を含んで送端側と受端側との間に介在する複数の光ネットワークを跨った２系統の光パスをそれぞれ接続する光クロスコネクト装置において、１つの前記光伝送路から入力する波長多重光信号をｎ分配（ｎは２以上の自然数）する２以上のｎ分岐カプラと、前記ｎ分岐カプラと同数個設けられ、前記２以上のｎ分岐カプラが分配する２以上の波長多重光信号から任意波長の波長多重光信号を選択して対応する光伝送路に送出するｎ×１波長選択スイッチとを備え、前記一方の光パスに障害が発生した場合に、障害が発生した光伝送路に対応する前記ｎ×１波長選択スイッチの選択対象を前記他方の光パスの光伝送路から波長多重光信号を受け取る前記ｎ分岐カプラの出力に切り替えることを特徴とする。
【００２１】
この発明によれば、一方の光パスに障害が発生して他方の光パスに接続替えを行う場合に、他方の光パスでは、接続の切り替えは行われず波長多重光信号が接続されたままであるので、当該光伝送路の正常性確認も並行して行うことができる。したがって、冗長光パスの信頼性を向上させることができる。
【発明の効果】
【００２２】
この発明によれば、冗長光パスの信頼性の向上が図れるという効果を奏する。
【発明を実施するための最良の形態】
【００２３】
以下に図面を参照して、この発明にかかる光クロスコネクト装置の好適な実施の形態を詳細に説明する。
【００２４】
実施の形態１．
図１は、この発明の実施の形態１による光クロスコネクト装置を備えるマルチリングネットワークの構成例および正常時にリング間を跨って形成される現用系及び予備系の光パスを説明する図である。図２は、図１に示す光クロスコネクト装置の構成例を示す図である。なお、図１では、図９（従来例）に示した構成要素と同一ないしは同等である構成要素には同一の符号が付されている。ここでは、この実施の形態１に関わる部分を中心に説明する。
【００２５】
図１では、図９（従来例）と同様構成の２つの光リングネットワークＡ（ＲｉｎｇＡ），Ｂ（ＲｉｎｇＢ）をこの実施の形態１による光クロスコネクト装置（ＯＸＣ）２ａで接続した最小限構成のマルチリングネットワークが示されている。ここでは、図９（従来例）と同様に、ＲｉｎｇＡ上の光分岐挿入装置１ａが送信端となり、ＲｉｎｇＢ上の光分岐挿入装置１ｆが受信端となる場合の光クロスコネクト装置２ａの構成と動作について説明する。
【００２６】
図２に示すように、光クロスコネクト装置２ａが備える光スイッチ部は、ＲｉｎｇＡの西回り（Ｗｅｓｔ）光伝送路および東回り（Ｅａｓｔ）光伝送路と、ＲｉｎｇＢの西回り（Ｗｅｓｔ）光伝送路及び東回り（Ｅａｓｔ）光伝送路との間の接続を切り替え等する構成として、ＲｉｎｇＡ及びＲｉｎｇＢでは、西回り（Ｗｅｓｔ）光伝送路と東回り（Ｅａｓｔ）光伝送路との入出力の関係が互いに逆の関係になっているが、各光伝送路と１対１の関係で、入力側に４つの１：３カプラ２０１ａ，２０１ｂ，２０１ｃ，２０１ｄが設けられ、出力側に４つの３×１波長選択スイッチ（３×１ＷＳＳ）２０２ａ，２０２ｂ，２０２ｃ，２０２ｄが設けられている。
【００２７】
１：３カプラ２０１（ａ，ｂ，ｃ，ｄ）は、それぞれ、１つの入力ポートからの波長多重光信号を３×１波長選択スイッチ２０２（ａ，ｂ，ｃ，ｄ）の中の３つに分配する。３×１波長選択スイッチ２０２（ａ，ｂ，ｃ，ｄ）は、それぞれ、３つの入力ポートからの波長多重光信号の１つを選択して１つの出力ポートに送出する。
【００２８】
図２に示す例では、ＲｉｎｇＡの西回り（Ｗｅｓｔ）光伝送路から入力された波長多重光信号は、１：３カプラ２０１ａにて３分配され３×１波長選択スイッチ２０２（ａ，ｃ，ｄ）に送出される。ＲｉｎｇＡの東回り（Ｅａｓｔ）光伝送路から入力された波長多重光信号は、１：３カプラ２０１ｂにて３分配され３×１波長選択スイッチ２０２（ｂ，ｃ，ｄ）に送出される。また、ＲｉｎｇＢの西回り（Ｗｅｓｔ）光伝送路から入力された波長多重光信号は、１：３カプラ２０１ｃにて３分配され３×１波長選択スイッチ２０２（ａ，ｂ，ｃ）に送出される。ＲｉｎｇＢの東回り（Ｅａｓｔ）光伝送路から入力された波長多重光信号は、１：３カプラ２０１ｄにて３分配され３×１波長選択スイッチ２０２（ａ，ｂ，ｄ）に送出される。
【００２９】
そして、３×１波長選択スイッチ２０２ａの出力ポートは、ＲｉｎｇＡの東回り（Ｅａｓｔ）光伝送路に接続され、３×１波長選択スイッチ２０２ｂの出力ポートは、ＲｉｎｇＡの西回り（Ｗｅｓｔ）光伝送路に接続されている。また、３×１波長選択スイッチ２０２ｃの出力ポートは、ＲｉｎｇＢの東回り（Ｅａｓｔ）光伝送路に接続され、３×１波長選択スイッチ２０２ｄの出力ポートは、ＲｉｎｇＢの西回り（Ｗｅｓｔ）光伝送路に接続されている。
【００３０】
光クロスコネクト装置２ａは、この構成によって、正常時では、送信端であるＲｉｎｇＡ上の光分岐挿入装置１ａと受信端であるＲｉｎｇＢ上の光分岐挿入装置１ｆとの間に、ＲｉｎｇＡの西回り光伝送路３０１とＲｉｎｇＢの東回り光伝送路３０３とによる両Ｒｉｎｇを跨る現用系光パス（実線）と、ＲｉｎｇＡの東回り光伝送路３０２とＲｉｎｇＢの西回り光伝送路３０４とによる両Ｒｉｎｇを跨る予備系光パス（破線）とを形成する。
【００３１】
具体的には、光クロスコネクト装置２ａでは、図示しない制御部が、３×１波長選択スイッチ２０２ｃに１：３カプラ２０１ａの出力を選択するように制御し、３×１波長選択スイッチ２０２ｄに１：３カプラ２０１ｂの出力を選択するように制御する。これによって、３×１波長選択スイッチ２０２ｃが、ＲｉｎｇＡの西回り光伝送路３０１に送出された送端側の波長多重光信号を１：３カプラ２０１ａから受け取り、それをＲｉｎｇＢの東回り光伝送路３０３に接続している。また、３×１波長選択スイッチ２０２ｄが、ＲｉｎｇＡの東回り光伝送路３０２に送出された送端側の波長多重光信号を１：３カプラ２０１ｂから受け取り、それをＲｉｎｇＢの西回り光伝送路３０４に接続している。
【００３２】
次に、図３と図４を参照して、障害発生時の動作について説明する。なお、図３は、図１に示すマルチリングネットワークにおいてＲｉｎｇＡに障害が発生した場合の復旧動作を説明する図である。図４は、図１に示すマルチリングネットワークにおいてＲｉｎｇＡに加えてＲｉｎｇＢでも障害が発生した場合の復旧動作を説明する図である。
【００３３】
図３に示すように、ＲｉｎｇＡの西回り光伝送路３０１に伝送障害が発生すると、光クロスコネクト装置２ａは、図示しない光信号異常検出器が現用系光パスの異常を検知すると、図示しない制御部が、３×１波長選択スイッチ２０２ｄに１：３カプラ２０１ｂの出力を継続して選択させＲｉｎｇＡの東回り光伝送路３０２とＲｉｎｇＢの西回り光伝送路３０４との接続は維持した状態で、１：３カプラ２０１ａからの入力が途絶える３×１波長選択スイッチ２０２ｃの選択対象を１：３カプラ２０１ｂの出力に切り替える。
【００３４】
これによって、ＲｉｎｇＢでは、西回り光伝送路３０４に加えて、東回り光伝送路３０３にもＲｉｎｇＡの東回り光伝送路３０２が接続されるので、ＲｉｎｇＡの東回り光伝送路３０２とＲｉｎｇＢの東回り光伝送路３０３とによる両Ｒｉｎｇを跨る現用系光パスが再構成され、正常に光信号の伝送が行えるとともに、ＲｉｎｇＢでは、予備系光パスである西回り光伝送路３０４の正常性監視も並行して行うことができる。
【００３５】
次に、図４に示すように、更にＲｉｎｇＢの東回り光伝送路３０３に伝送障害が発生した場合は、上記したように、ＲｉｎｇＡの東回り光伝送路３０２とＲｉｎｇＢの西回り光伝送路３０４とは接続されていて正常性の確認はできているので、光伝送路３０２，３０４の経路がそのまま現用系光パスとして用いることができる。したがって、光クロスコネクト装置２ａでは、何もせず、光分岐挿入装置１ｆにおいて選択器１０４が選択対象をトランスポンダ１０２ｃに切り替えるだけで光分岐挿入装置１ｆでは、正常に受信できる。このように、ＲｉｎｇＡとＲｉｎｇＢとの双方に故障が発生しても、両Ｒｉｎｇに跨って正常に光信号を伝送することができる。
【００３６】
以上のように、この実施の形態１によれば、光クロスコネクト装置を１：３カプラと３×１波長選択スイッチとの２段構成で構成したので、一方の光リングネットワークに故障が発生した状態でも、他方の光リングネットワークでは、現用系光パスと予備系光パスとの双方に光信号を伝送でき、予備系光パスの正常性を確認しつづけることができる。したがって、予備系光パスに切り替えて初めてその光パスの異常が検出されるなどの不具合が発生しないので、マルチリングネットワークにおける冗長光パスの信頼性の向上を図ることができる。
【００３７】
実施の形態２．
図５は、この発明の実施の形態２による光クロスコネクト装置の構成を示す図である。この実施の形態２による光クロスコネクト装置２ｂは、図２に示した光クロスコネクト装置２ａの構成において、入力側の１：３カプラ２０１（ａ，ｂ，ｃ，ｄ）に代えて、１×２波長選択スイッチ（１×２ＷＳＳ）２０３（ａ，ｂ，ｃ，ｄ）及び１：２カプラ２０４（ａ，ｂ，ｃ，ｄ）が設けられている。
【００３８】
１×２波長選択スイッチ２０３ａは、ＲｉｎｇＡの西回り（Ｗｅｓｔ）光伝送路から入力された波長多重光信号を任意波長の１以上の光信号を組み合わせた２組に編成し、それを２つの出力ポートから３×１波長選択スイッチ２０２ａと１：２カプラ２０４ａとに送出する。１：２カプラ２０４ａは、１×２波長選択スイッチ２０３ａからの光信号を３×１波長選択スイッチ２０２ｃ，２０２ｄに分配する。
【００３９】
１×２波長選択スイッチ２０３ｂは、ＲｉｎｇＡの東回り（Ｅａｓｔ）光伝送路から入力された波長多重光信号を任意波長の１以上の光信号を組み合わせた２組に編成し、それを２つの出力ポートから３×１波長選択スイッチ２０２ｂと１：２カプラ２０４ｂとに送出する。１：２カプラ２０４ｂは、１×２波長選択スイッチ２０３ｂからの光信号を３×１波長選択スイッチ２０２ｃ，２０２ｄに分配する。
【００４０】
１×２波長選択スイッチ２０３ｃは、ＲｉｎｇＢの西回り（Ｗｅｓｔ）光伝送路から入力された波長多重光信号を任意波長の１以上の光信号を組み合わせた２組に編成し、それを２つの出力ポートから３×１波長選択スイッチ２０２ｃと１：２カプラ２０４ｃとに送出する。１：２カプラ２０４ｃは、１×２波長選択スイッチ２０３ｃからの光信号を３×１波長選択スイッチ２０２ａ，２０２ｂに分配する。
【００４１】
１×２波長選択スイッチ２０３ｄは、ＲｉｎｇＢの東回り（Ｅａｓｔ）光伝送路から入力された波長多重光信号を任意波長の１以上の光信号を組み合わせた２組に編成し、それを２つの出力ポートから３×１波長選択スイッチ２０２ｄと１：２カプラ２０４ｄに送出する。１：２カプラ２０４ｄは、１×２波長選択スイッチ２０３ｄからの光信号を３×１波長選択スイッチ２０２ａ，２０２ｂに分配する。
【００４２】
このように構成される光クロスコネクト装置２ｂを、図１に示したマルチリングネットワークにおいて、光クロスコネクト装置２ｂに代えて適用しても、実施の形態１にて説明した障害時における冗長光パスの切り替えを同様に実施することができ、冗長光パスの信頼性を向上させることができる。
【００４３】
この実施の形態２による光クロスコネクト装置は、入力側を、１×２波長選択スイッチ（１×２ＷＳＳ）及び１：２カプラで構成したので、１：３カプラで構成した実施の形態１による光クロスコネクト装置よりも低損失な切替特性が実現できる。
【００４４】
実施の形態３．
図６は、この発明の実施の形態３による光クロスコネクト装置を備えるマルチリングネットワークの構成を示すシステム図である。図６では、図１（実施の形態例１）と同様構成の２つの光リングネットワークＡ（ＲｉｎｇＡ），Ｂ（ＲｉｎｇＢ）に第３の光リングネットワークＣ（ＲｉｎｇＣ）を追加し、それら３つの光リングネットワークをこの実施の形態３による光クロスコネクト装置（ＯＸＣ）２ｃで接続したマルチリングネットワークが示されている。
【００４５】
光リングネットワークＣ（ＲｉｎｇＣ）上には光分岐挿入装置１ｇ，１ｈ，１ｉが配置されている。光クロスコネクト装置２ｃは、ＲｉｎｇＡ，ＲｉｎｇＢ，ＲｉｎｇＣの西回りと東回りの各光伝送路が接続されるポートＷ，Ｅを１対１の関係で備えている。
【００４６】
図７は、図６に示す光クロスコネクト装置の構成例を示す図である。この実施の形態３による光クロスコネクト装置２ｃが備える光スイッチ部は、図７に示すように、ＲｉｎｇＡの西回り（Ｗｅｓｔ）光伝送路および東回り（Ｅａｓｔ）光伝送路と、ＲｉｎｇＢの西回り（Ｗｅｓｔ）光伝送路および東回り（Ｅａｓｔ）光伝送路と、ＲｉｎｇＣの西回り（Ｗｅｓｔ）光伝送路および東回り（Ｅａｓｔ）光伝送路との間の接続を切り替え等する構成として、ＲｉｎｇＡ，ＲｉｎｇＢ及びＲｉｎｇＣでは、西回り（Ｗｅｓｔ）光伝送路と東回り（Ｅａｓｔ）光伝送路との入出力の関係が互いに逆の関係になっているが、各光伝送路と１対１の関係で、入力側に６つの１×３波長選択スイッチ（１×３ＷＳＳ）２０５（ａ，ｂ，ｃ，ｄ，ｅ，ｆ）及び１２個の１：２カプラ２０６（ａ，ｂ，ｃ，ｄ，ｅ，ｆ，ｇ，ｈ，ｌ））が設けられ、出力側に６つの５×１波長選択スイッチ（５×１ＷＳＳ）２０７（ａ，ｂ，ｃ，ｄ，ｅ，ｆ）が設けられている。
【００４７】
１×３波長選択スイッチ２０５ａは、ＲｉｎｇＡの西回り（Ｗｅｓｔ）光伝送路から入力された波長多重光信号を任意波長の１以上の光信号を組み合わせた３組に編成し、それを３つの出力ポートから５×１波長選択スイッチ２０７ａと１：２カプラ２０６ａと１：２カプラ２０６ｂのとに送出する。１：２カプラ２０６ａは、１×３波長選択スイッチ２０５ａからの波長多重光信号を５×１波長選択スイッチ２０７ｃ，２０７ｄに分配する。１：２カプラ２０６ｂは、１×３波長選択スイッチ２０５ａからの波長多重光信号を５×１波長選択スイッチ２０７ｅ，２０７ｆに分配する。
【００４８】
１×３波長選択スイッチ２０５ｂは、ＲｉｎｇＡの東回り（Ｅａｓｔ）光伝送路から入力された波長多重光信号を任意波長の１以上の光信号を組み合わせた３組に編成し、それを３つの出力ポートから５×１波長選択スイッチ２０７ｂと１：２カプラ２０６ｃと１：２カプラ２０６ｄとに送出する。１：２カプラ２０６ｃは、１×３波長選択スイッチ２０５ｂからの光信号を５×１波長選択スイッチ２０７ｃ，２０７ｄに分配する。１：２カプラ２０６ｄは、１×３波長選択スイッチ２０５ｂからの光信号を５×１波長選択スイッチ２０７ｅ，２０７ｆに分配する。
【００４９】
１×３波長選択スイッチ２０５ｃは、ＲｉｎｇＢの西回り（Ｗｅｓｔ）光伝送路から入力された波長多重光信号を任意波長の１以上の光信号を組み合わせた３組に編成し、それを３つの出力ポートから５×１波長選択スイッチ２０７ｃと１：２カプラ２０６ｅと１：２カプラ２０６ｆとに送出する。１：２カプラ２０６ｅは、１×３波長選択スイッチ２０５ｃからの光信号を５×１波長選択スイッチ２０７ａ，２０７ｂに分配する。１：２カプラ２０６ｆは、１×３波長選択スイッチ２０５ｃからの光信号を５×１波長選択スイッチ２０７ｅ，２０７ｆに分配する。
【００５０】
１×３波長選択スイッチ２０５ｄは、ＲｉｎｇＢの東回り（Ｅａｓｔ）光伝送路から入力された波長多重光信号を任意波長の１以上の光信号を組み合わせた３組に編成し、それを３つの出力ポートから５×１波長選択スイッチ２０７ｄと１：２カプラ２０６ｇと１：２カプラ２０６ｈとに送出する。１：２カプラ２０６ｇは、１×３波長選択スイッチ２０５ｄからの光信号を５×１波長選択スイッチ２０７ａ，２０７ｂに分配する。１：２カプラ２０６ｈは、１×３波長選択スイッチ２０５ｄからの光信号を５×１波長選択スイッチ２０７ｅ，２０７ｆに分配する。
【００５１】
１×３波長選択スイッチ２０５ｅは、ＲｉｎｇＣの西回り（Ｗｅｓｔ）光伝送路から入力された波長多重光信を任意波長の１以上の光信号を組み合わせた３組に編成し、それを３つの出力ポートから５×１波長選択スイッチ２０７ｅと１：２カプラ２０６ｉと１：２カプラ２０６ｊとのいずれかに送出する。１：２カプラ２０６ｉは、１×３波長選択スイッチ２０５ｅからの光信号を５×１波長選択スイッチ２０７ａ，２０７ｂに分配する。１：２カプラ２０６ｊは、１×３波長選択スイッチ２０５ｅからの光信号を５×１波長選択スイッチ２０７ｃ，２０７ｄに分配する。
【００５２】
１×３波長選択スイッチ２０５ｆは、ＲｉｎｇＣの東回り（Ｅａｓｔ）光伝送路から入力された波長多重光信号を任意波長の１以上の光信号を組み合わせた３組に編成し、それを３つの出力ポートから５×１波長選択スイッチ２０７ｆと１：２カプラ２０６ｋと１：２カプラ２０６ｌとのいずれかに送出する。１：２カプラ２０６ｋは、１×３波長選択スイッチ２０５ｆからの光信号を５×１波長選択スイッチ２０７ａ，２０７ｂに分配する。１：２カプラ２０６ｌは、１×３波長選択スイッチ２０５ｆからの光信号を５×１波長選択スイッチ２０７ｃ，２０７ｄに分配する。
【００５３】
５×１波長選択スイッチ２０７ａは、５つの入力ポートから取り込んだ光信号の中の１つを選択してＲｉｎｇＡの東回り（Ｅａｓｔ）光伝送路に送出する。５×１波長選択スイッチ２０７ｂは、５つの入力ポートから取り込んだ光信号の中の１つを選択してＲｉｎｇＡの西回り（Ｗｅｓｔ）光伝送路に送出する。
【００５４】
５×１波長選択スイッチ２０７ｃは、５つの入力ポートから取り込んだ波長多重光信号の中の１つを選択してＲｉｎｇＢの東回り（Ｅａｓｔ）光伝送路に送出する。５×１波長選択スイッチ２０７ｄは、５つの入力ポートから取り込んだ波長多重光信号の中の１つを選択してＲｉｎｇＡの西回り（Ｗｅｓｔ）光伝送路に送出する。
【００５５】
５×１波長選択スイッチ２０７ｅは、５つの入力ポートから取り込んだ波長多重光信号の中の１つを選択してＲｉｎｇＣの東回り（Ｅａｓｔ）光伝送路に送出する。５×１波長選択スイッチ２０７ｆは、５つの入力ポートから取り込んだ波長多重光信号の中の１つを選択してＲｉｎｇＣの西回り（Ｗｅｓｔ）光伝送路に送出する。
【００５６】
このように構成される光クロスコネクト装置２ｃを用いて３つの光リングネットワークを接続した図６に示すマルチリングネットワークにおいて、実施の形態１にて説明した障害時における冗長光パスの切り替えを同様に実施することができ、冗長光パスの信頼性を向上させることができる。
【００５７】
なお、この実施の形態３では、実施の形態２に示した光クロスコネクト装置との構成比較から理解できるように、実施の形態２に示した光クロスコネクト装置を３以上の光リングネットワークを接続する構成に拡張する方法を示したが、これは、実施の形態１に示した光クロスコネクト装置を３以上の光リングネットワークを接続する構成に拡張する方法を示唆するものである。
【００５８】
すなわち、図２に示した構成において、入力側に１：３カプラに代えて１：５カプラを設け、出力側に３×１ＷＳＳに代えて５×１ＷＳＳを設けて３つの光リングネットワークを接続したマルチリングネットワークにおいて、実施の形態１にて説明した障害時における冗長光パスの切り替えを同様に実施することができ、冗長光パスの信頼性を向上させることができる。
【００５９】
実施の形態４．
図８は、この発明の実施の形態４による光クロスコネクト装置を備える光メッシュネットワークの構成を示すシステム図である。図８にいて、第１の光メッシュネットワーク８１では、複数の光伝送路の各交点に４方路の光クロスコネクト装置２ｄ１，２ｄ２，２ｄ３が配置され、第２の光メッシュネットワーク８２では、複数の光伝送路の各交点に４方路の光クロスコネクト装置２ｄ５，２ｄ６，２ｄ７が配置され、両光メッシュネットワーク８１，８２が６方路の光クロスコネクト装置２ｅを介して接続されている。４方路の光クロスコネクト装置２ｄ４は、図示しない第３の光メッシュネットワークにおける光伝送路の交点位置に配置されている。
【００６０】
第１の光メッシュネットワーク８１では、光クロスコネクト装置２ｄ１のポートＰ２は、光伝送路４０１を介して光クロスコネクト装置２ｄ２のポートＰ１に接続され、光クロスコネクト装置２ｄ２のポートＰ３は、光伝送路４０２を介して光クロスコネクト装置２ｅのポートＰ２に接続されている。また、光クロスコネクト装置２ｄ１のポートＰ４は、光伝送路４０３を介して光クロスコネクト装置２ｄ３のポートＰ１に接続され、光クロスコネクト装置２ｄ３のポートＰ３は、光伝送路４０４を介して光クロスコネクト装置２ｅのポートＰ５に接続されている。また、光クロスコネクト装置２ｄ１のポートＰ３は、光伝送路４０５を介して光クロスコネクト装置２ｅのポートＰ１に接続され、光クロスコネクト装置２ｄ２のポートＰ４は、光伝送路４０６を介して光クロスコネクト装置２ｄ３のポートＰ２に接続されている。そして、光クロスコネクト装置２ｄ３のポートＰ４は、光伝送路４０７を介して光クロスコネクト装置２ｄ４のポートＰ１に接続されている。
【００６１】
光クロスコネクト装置２ｄ１のポートＰ１は、図示しない隣接光メッシュネットワークにおける光伝送路に接続されている。光クロスコネクト装置２ｄ２のポートＰ２も同様に図示しない隣接光メッシュネットワークにおける光伝送路に接続されている。なお、光クロスコネクト装置２ｄ１のポートＰ３と光クロスコネクト装置２ｅのポートＰ１との間の光伝送路４０５と、光クロスコネクト装置２ｄ２のポートＰ４と光クロスコネクト装置２ｄ３のポートＰ２との間の光伝送路４０６との交点位置にも同様に４方路の光クロスコネクト装置が配置されるが、説明の便宜から図示を省略した。
【００６２】
また、第２の光メッシュネットワーク８２では、光クロスコネクト装置２ｄ７のポートＰ２は、光伝送路４１１を介して光クロスコネクト装置２ｄ５のポートＰ３に接続され、光クロスコネクト装置２ｄ５のポートＰ１は、光伝送路４１２を介して光クロスコネクト装置２ｅのポートＰ３に接続されている。光クロスコネクト装置２ｄ７のポートＰ４は、光伝送路４１３を介して光クロスコネクト装置２ｄ６のポートＰ３に接続され、光クロスコネクト装置２ｄ６のポートＰ１は、光伝送路４１４を介して光クロスコネクト装置２ｅのポートＰ６に接続されている。また、光クロスコネクト装置２ｄ７のポートＰ１は、光伝送路４１５を介して光クロスコネクト装置２ｅのポートＰ４に接続され、光クロスコネクト装置２ｄ５のポートＰ４は、光伝送路４１６を介して光クロスコネクト装置２ｄ６のポートＰ２に接続されている。そして、光クロスコネクト装置２ｄ６のポートＰ４は、光伝送路４１７を介して光クロスコネクト装置２ｄ４のポートＰ３に接続されている。
【００６３】
光クロスコネクト装置２ｄ７のポートＰ３は、図示しない隣接光メッシュネットワークにおける光伝送路に接続されている。光クロスコネクト装置２ｄ５のポートＰ２も同様に図示しない隣接光メッシュネットワークにおける光伝送路に接続されている。なお、光クロスコネクト装置２ｄ７のポートＰ１と光クロスコネクト装置２ｅのポートＰ４との間の光伝送路と、光クロスコネクト装置２ｄ５のポートＰ４と光クロスコネクト装置２ｄ６のポートＰ２との間の光伝送路との交点位置にも同様に４方路の光クロスコネクト装置が配置されるが、説明の便宜から図示を省略した。
【００６４】
光クロスコネクト装置２ｄ４のポートＰ２，Ｐ４は、それぞれ図示しない第３の光メッシュネットワークにおける光伝送路に接続されている。
【００６５】
４方路の光クロスコネクト装置２ｄ（１〜７）は、それぞれ、同様に図２や図５に示す構成であって、入出力の関係が、例えば図９に示すようになっている。図９は、図８に示す４方路光クロスコネクト装置の構成例を示す図である。図９では、図５に示した構成において、ＲｉｎｇＡのＷｅｓｔポートをポート１（Ｐｏｒｔ１）とし、ＲｉｎｇＡのＥａｓｔポートをポート２（Ｐｏｒｔ２）とし、ＲｉｎｇＢのＷｅｓｔポートをポート３（Ｐｏｒｔ３）とし、ＲｉｎｇＢのＥａｓｔポートをポート４（Ｐｏｒｔ４）とすれば適用できることが示されている。
【００６６】
また、６方路の光クロスコネクト装置２ｅは、図７に示した構成、または、図２に示した構成を６方路に拡張した構成であって、入出力の関係が、例えば図１０に示すようになっている。図１０は、図８に示す６方路光クロスコネクト装置の構成例を示す図である。図１０では、図７に示した構成において、ＲｉｎｇＡのＷｅｓｔポートをポート１（Ｐｏｒｔ１）とし、ＲｉｎｇＡのＥａｓｔポートをポート２（Ｐｏｒｔ２）とし、ＲｉｎｇＢのＷｅｓｔポートをポート３（Ｐｏｒｔ３）とし、ＲｉｎｇＢのＥａｓｔポートをポート４（Ｐｏｒｔ４）とし、ＲｉｎｇＣのＷｅｓｔポートをポート５（Ｐｏｒｔ５）とし、ＲｉｎｇＣのＥａｓｔポートをポート６（Ｐｏｒｔ６）とすれば適用できることが示されている。
【００６７】
次に、図８〜図１２を参照して、図８に示す光メッシュネットワークにおいて冗長光パスを形成する動作を説明する。なお、図１１は、図８に示す光メッシュネットワークにおいて正常時にネットワーク間を跨って形成される現用系及び予備系の光パスを説明するシステム図である。図１２は、図１１に示すネットワーク間を跨って形成される冗長光パスに障害が発生した場合の復旧動作を説明する図である。
【００６８】
図１１では、図８において、送端側が光クロスコネクト装置２ｄ１のポートＰ１に接続される隣接光メッシュネットワークに存在し、受端側が光クロスコネクト装置２ｄ４のポートＰ４に接続される第３の光メッシュネットワークに存在している場合に、２つの光メッシュネットワーク８１，８２を跨いで、正常時における現用系光パス（実線）及び予備系光パス（破線）が形成されることが示されている。
【００６９】
光クロスコネクト装置２ｄ１は、送信端からポートＰ１に入力される波長多重光信号をポート２から光伝送路４０１に送出するとともに、ポート３から光伝送路４０５に送出する。光クロスコネクト装置２ｄ２は、ポートＰ１に入力される波長多重光信号をポート３から光伝送路４０２に送出する。
【００７０】
光クロスコネクト装置２ｅは、ポートＰ２に入力される波長多重光信号をポート４から光伝送路４１４に送出するとともに、ポートＰ１に入力される波長多重光信号をポート６から光伝送路４０４に送出する。
【００７１】
光クロスコネクト装置２ｄ７は、ポートＰ１に入力される波長多重光信号をポート４から光伝送路４１３に送出する。光クロスコネクト装置２ｄ６は、ポート３に入力される波長多重光信号をポート４から光伝送路４１７に送出する。光クロスコネクト装置２ｄ４は、ポートＰ３に入力される波長多重光信号をポート４から受信端が接続される光伝送路へ送出する。
【００７２】
光クロスコネクト装置２ｄ３は、ポートＰ３に入力される波長多重光信号をポート４から光伝送路４０７に送出する。光クロスコネクト装置２ｄ６は、ポート３に入力される波長多重光信号をポート４から光伝送路４１７に送出する。光クロスコネクト装置２ｄ４は、ポートＰ１に入力される波長多重光信号をポート４から受信端が接続される光伝送路へ送出する。
【００７３】
これによって、光伝送路４０１，４０２，４１５，４１３，４１７を経由する現用系光パスと、光伝送路４０５，４０４，４０７を経由する予備系光パスとが形成される。この状態で、図１２に示すように、光伝送路４０１に障害が発生すると、２つのメッシュネットワーク８１，８２を接続する光クロスコネクト装置２ｅでは、ポートＰ２とポートＰ４との接続を断ち、同時にポートＰ１をポートＰ４にも接続する。その結果、現用系光パスが、光伝送路４０５，４１５，４１３，４１７を経由するように再構成される。予備系光パスは、変更ないので、光信号の伝達確認が行える。
【００７４】
以上のように、複数の光メッシュネットワークを接続した光ネットワークにおいて複数の光伝送路の各交点に実施の形態１〜３で説明した光クロスコネクト装置を配置すれば、同様に冗長光パスの信頼性を向上させることができる。要するに、この発明による光クロスコネクト装置は、一般に、冗長光パスを有する複数の光ネットワークを接続する装置として適用できるものである。
【００７５】
実施の形態５．
図１３は、この発明の実施の形態５として、図１に示したマルチリングネットワークにおいて光分岐挿入装置の他の構成例を説明するシステム図である。図１３において、ＲｉｎｇＡには、光分岐挿入装置１ａ，１ｂ，１ｃに代えて光分岐挿入装置３ａ，３ｂ，３ｃが配置され、ＲｉｎｇＢには、光分岐挿入装置１ｄ，１ｅ，１ｆに代えて光分岐挿入装置３ｄ，３ｅ，３ｆが配置されている。各光分岐挿入装置は、同様の構成であり、送信系は光分岐挿入装置３ａに示すように構成され、受信系は光分岐挿入装置３ｆに示すように構成される。
【００７６】
光分岐挿入装置３ａは、光分岐挿入装置１ａにおいて、トランスポンダを１つにして（図示例ではトランスポンダ１０２ａを残して）、分岐器１０１に代えた分岐器１０５を、トランスポンダ１０２ａの出力端とＯＡＤＭ１０３ａ，１０３ｂの入力端との間に設ける構成にしてある。
【００７７】
また、光分岐挿入装置３ｆは、光分岐挿入装置１ｆにおいて、トランスポンダを１つにして（図示例ではトランスポンダ１０２ｃを残して）、選択器１０４に代えた選択器１０６を、ＯＡＤＭ１０３ｃ，１０３ｄの出力端とトランスポンダ１０２ｃの入力端との間に設ける構成にしてある。
【００７８】
光分岐挿入装置をこのような構成としても、光クロスコネクト装置２ａは、送信端である光分岐挿入装置３ａと受信端である光分岐挿入装置３ｆとの間に、ＲｉｎｇＡの西回り光伝送路３０１とＲｉｎｇＢの東回り光伝送路３０３とからなる両Ｒｉｎｇを跨る現用系光パス（実線）と、ＲｉｎｇＡの東回り光伝送路３０２とＲｉｎｇＢの西回り光伝送路３０４とからなる両Ｒｉｎｇを跨る予備系光パス（破線）とを形成することができ、障害発生時でも実施の形態１にて説明した冗長光パスの信頼性を向上させる動作を行うことができる。
【産業上の利用可能性】
【００７９】
以上のように、この発明にかかる光クロスコネクト装置は、冗長光パスを有する複数の光ネットワークを冗長光パスの信頼性を劣化させずに接続するのに有用である。
【図面の簡単な説明】
【００８０】
【図１】この発明の実施の形態１による光クロスコネクト装置を備えるマルチリングネットワークの構成例および正常時にリング間を跨って形成される現用系及び予備系の光パスを説明するシステム図である。
【図２】図１に示す光クロスコネクト装置の構成例を示す図である。
【図３】図１に示すマルチリングネットワークにおいてＲｉｎｇＡに障害が発生した場合の復旧動作を説明する図である。
【図４】図１に示すマルチリングネットワークにおいてＲｉｎｇＡに加えてＲｉｎｇＢでも障害が発生した場合の復旧動作を説明する図である。
【図５】この発明の実施の形態２による光クロスコネクト装置の構成を示す図である。
【図６】この発明の実施の形態３による光クロスコネクト装置を備えるマルチリングネットワークの構成を示すシステム図である。
【図７】図６に示す光クロスコネクト装置が備える光スイッチの構成例を示す図である。
【図８】この発明の実施の形態４による光クロスコネクト装置を備える光メッシュネットワークの構成を示すシステム図である。
【図９】図８に示す４方路光クロスコネクト装置の構成例を示す図である。
【図１０】図８に示す６方路光クロスコネクト装置の構成例を示す図である。
【図１１】図８に示す光メッシュネットワークにおいて正常時にネットワーク間を跨って形成される現用系及び予備系の光パスを説明するシステム図である。
【図１２】図１１に示すネットワーク間を跨って形成される冗長光パスに障害が発生した場合の復旧動作を説明する図である。
【図１３】この発明の実施の形態５として、図１に示したマルチリングネットワークにおいて光分岐挿入装置の他の構成例を説明するシステム図である。
【図１４】従来の光クロスコネクト装置を備えるマルチリングネットワークの構成例および正常時にリング間を跨って形成される現用系及び予備系の光パスを説明するシステム図である。
【図１５】図１４に示す従来の光クロスコネクト装置の構成例を示す図である。
【図１６】図１４に示すマルチリングネットワークにおいてＲｉｎｇＡに障害が発生した場合の復旧動作を説明する図である。
【図１７】図１４に示すマルチリングネットワークにおいてＲｉｎｇＡに加えてＲｉｎｇＢでも障害が発生した場合の復旧動作を説明する図である。
【符号の説明】
【００８１】
ＲｉｎｇＡ，Ｂ  光リングネットワーク
１ａ，１ｂ，１ｃ，１ｄ，１ｅ，１ｆ  光分岐挿入装置
２ａ，２ｂ，２ｃ，２ｄ１〜２ｄ７，２ｅ  光クロスコネクト装置
３ａ，３ｂ，３ｃ，３ｄ，３ｅ，３ｆ  光分岐挿入装置
１０１，１０５  分岐器（ＤＩＳ）
１０２ａ，１０２ｂ，１０２ｃ，１０２ｄ  トランスポンダ
１０３ａ，１０３ｂ，１０３ｃ，１０３ｄ  ＯＡＤＭ
１０４，１０６  選択器（ＳＥＬ）
２０１ａ，２０１ｂ，２０１ｃ，２０１ｄ  １：３カプラ
２０２ａ，２０２ｂ，２０２ｃ，２０２ｄ  ３×１波長選択スイッチ（３×１ＷＳＳ）
２０３ａ，２０３ｂ，２０３ｃ，２０３ｄ  １×２波長選択スイッチ（１×２ＷＳＳ）
２０４ａ，２０４ｂ，２０４ｃ，２０４ｄ  １：２カプラ
２０５ａ，２０５ｂ，２０５ｃ，２０５ｄ  １×３波長選択スイッチ（１×３ＷＳＳ）
２０６ａ，２０６ｂ，２０６ｃ，２０６ｄ，２０６ｅ，２０６ｆ，２０６ｇ，２０６ｈ，２０６ｉ，２０６ｊ，２０６ｋ，２０６ｌ  １：２カプラ
２０７ａ，２０７ｂ，２０７ｃ，２０７ｄ  ５×１波長選択スイッチ（５×１ＷＳＳ）
８１，８２  光メッシュネットワーク
【図１】
2008167306.tif 000003
【図２】
2008167306.tif 000004
【図３】
2008167306.tif 000005
【図４】
2008167306.tif 000006
【図５】
2008167306.tif 000007
【図６】
2008167306.tif 000008
【図７】
2008167306.tif 000009
【図８】
2008167306.tif 000010
【図９】
2008167306.tif 000011
【図１０】
2008167306.tif 000012
【図１１】
2008167306.tif 000013
【図１２】
2008167306.tif 000014
【図１３】
2008167306.tif 000015
【図１４】
2008167306.tif 000016
【図１５】
2008167306.tif 000017
【図１６】
2008167306.tif 000018
【図１７】
2008167306.tif 000019